(57)【要約】エアインタフェースおよび／または通信システムのようなモバイル通信サービスを選択する方法は、移動および／またはロケーションに基づいて、通信サービスを選択することを含み得る。通信システムの選択は、要求されるサービスのタイプおよびモバイル局が置かれている環境に基づいてなされ、ユーザ体験を最適化し得る。追加的に、エアインタフェース内で、サービスは、通話のタイプおよびモバイル通信デバイスが置かれている環境に基づいて、選択され得る。
2008532425.tif 000002
【特許請求の範囲】
【請求項１】
プロセッサと、
該プロセッサに結合されたメモリと、
該プロセッサに結合されたトランシーバとを備え、
該プロセッサは、
第一の通信システムを用いて、通信に関与し（１０２）、
該モバイル通信デバイスが移動中であるかどうかを決定し（１０４）、
該デバイスが移動中であるとき、該デバイスに対する移動情報を決定し（１０６）、
該移動情報に基づいて、別の通信システムが、好ましいかどうかを決定し（１１０）と、
別の通信システムが好ましいと決定されるとき、該別の通信システムに切り替える（１１２）ように、
さらに構成されている、
モバイル通信デバイス。
【請求項２】
前記移動を決定するステップは、グローバルポジショニングシステム信号を用いて、前記モバイル通信デバイスが移動中であると決定することを包含する、請求項１に記載のモバイル通信デバイス。
【請求項３】
グローバルポジションニングシステム信号を用いることは、通信ネットワークからの補助を用いて、該信号を処理することを包含する、請求項２に記載のモバイル通信デバイス。
【請求項４】
前記移動を決定するステップは、複数の測位決定を用いて、前記モバイル通信デバイスが移動中であると決定することを包含する、請求項１に記載のモバイル通信デバイス。
【請求項５】
前記別の通信システムが好ましいと決定するステップは、地理的情報を含む拡張優先ローミングリストを用いることを包含する、請求項１に記載のモバイル通信デバイス。
【請求項６】
前記移動を決定することは、位置、方位、速度を決定することを包含する、請求項１に記載のモバイル通信デバイス。
【請求項７】
前記プロセッサは、
将来のロケーションを予測し、
該予測された将来のロケーションに基づいて、前記別の通信システムに切り替えることをスケジューリングするように、
さらに構成されている、請求項１に記載のモバイル通信デバイス。
【請求項８】
前記切り替えるステップは、ハンドオフを備えている、請求項１に記載のモバイル通信デバイス。
【請求項９】
前記ハンドオフは、前記モバイル通信デバイスの将来のロケーションの予測に基づいて、遅延される、請求項８に記載のモバイル通信デバイス。
【請求項１０】
前記別の通信システムが好ましいかどうかを決定するステップは、音声通信、データ通信、ボイスオーバインターネットプロトコル通信のうちの一つに対して、別の通信システムが好ましいかどうかを決定することを包含する、請求項１に記載のモバイル通信デバイス。
【請求項１１】
前記別の通信システムが好ましいと決定するステップは、サービスの品質（ＱｏＳ）に対して、別の通信システムが、好ましいかどうかを決定することを包含する、請求項１に記載のモバイル通信デバイス。
【請求項１２】
前記別の通信システムが好ましいと決定するステップは、前記第一および第二の通信システムの各々上で利用可能なデータ速度に基づいて、該好ましい通信システムを決定することを包含する、請求項１に記載のモバイル通信デバイス。
【請求項１３】
前記別の通信システムが好ましいと決定するステップは、前記第一および第二の通信システムの利用可能性に基づいて、該好ましい通信システムを決定することを包含する、請求項１に記載のモバイル通信デバイス。
【請求項１４】
前記別の通信システムが好ましいと決定するステップは、前記第一および第二の通信システムの各々上のアクセス権に基づいて、該好ましい通信システムを決定することを包含する、請求項１に記載のモバイル通信デバイス。
【請求項１５】
前記別の通信システムが好ましいと決定するステップは、サービスのコストに基づいて、該好ましい通信システムを決定することを包含する、請求項１に記載のモバイル通信デバイス。
【請求項１６】
前記別の通信システムが好ましいと決定するステップは、ローミングパートナー契約に基づいて、該好ましい通信システムを決定することを包含する、請求項１に記載のモバイル通信デバイス。
【請求項１７】
モバイル通信デバイスのシステムアクセスを管理する方法であって、該方法は、
第一の通信システムを用いて、通信に関与すること（１０２）と、
該モバイル通信デバイスが移動中であるかどうかを決定すること（１０４）と、
該デバイスが移動中であるとき、該デバイスに対する移動情報を決定すること（１０６）と、
該移動情報に基づいて、別の通信システムが好ましいかどうかを決定すること（１１０）と、
別の通信システムが好ましいと決定されるとき、該別の通信システムに切り替えること（１１２）と
を包含する、方法。
【請求項１８】
前記移動を決定するステップは、複数の測位決定を用いて、前記モバイル通信デバイスが移動中であると決定することを包含する、請求項１７に記載の方法。
【請求項１９】
前記別の通信システムが好ましいと決定するステップは、地理的情報を含む拡張優先ローミングリストを用いることを包含する、請求項１７に記載の方法。
【請求項２０】
前記移動を決定することは、位置、方位、速度を決定することを包含する、請求項１７に記載の方法。
【請求項２１】
将来のロケーションを予測することと、
該予測された将来のロケーションに基づいて、前記別の通信システムに切り替えることをスケジューリングすることと
をさらに包含する、請求項１７に記載の方法。
【請求項２２】
前記別の通信システムが好ましいかどうかを決定するステップは、音声通信、データ通信、およびボイスオーバインターネットプロトコル通信のうちの一つに対して、別の通信システムが好ましいかどうかを決定することを包含する、請求項１７に記載の方法。
【請求項２３】
前記別の通信システムが好ましいと決定するステップは、サービスの品質（ＱｏＳ）に対して、別の通信システムが、好ましいかどうかを決定することを包含する、請求項１７に記載の方法。
【請求項２４】
前記別の通信システムが好ましいと決定するステップは、前記第一および第二の通信システムの各々上での利用可能なデータ速度に基づいて、好ましい通信システムを決定することを包含する、請求項１７に記載の方法。
【請求項２５】
前記別の通信システムと好ましいと決定するステップは、前記第一および第二の通信システムの利用可能性に基づいて、該好ましい通信システムを決定することを包含する、請求項１７に記載の方法。
【請求項２６】
前記別の通信システムが好ましいと決定するステップは、前記第一および第二の通信システムの各々上のアクセス権に基づいて、該好ましい通信システムを決定することを包含する、請求項１７に記載の方法。
【請求項２７】
前記別の通信システムが好ましいと決定するステップは、サービスのコストに基づいて、該好ましい通信システムを決定することを包含する、請求項１７に記載の方法。
【請求項２８】
前記別の通信システムが好ましいと決定するステップは、ローミングパートナー契約に基づいて、該好ましい通信システムを決定することを包含する、請求項１７に記載の方法。
【発明の詳細な説明】
【技術分野】
【０００１】
（発明の分野）
本発明の分野は、一般に、モバイル通信デバイスに関し、より具体的には、モバイル通信デバイスに関連する移動情報に基づいて、サービスを選択するためのシステムおよび方法に関する。
【背景技術】
【０００２】
（発明の背景）
多数のモバイル通信デバイスは、無線サービスの１つのタイプのみ、例えば、アナログサービスのみを用いて動作する。無線サービスの２つ以上のタイプを用いて動作するモバイル通信デバイスが、より一般的になってきている。異なる無線サービスは、異なるエアインタフェース、および／または異なるタイプの通信システムおよびプロトコルを使用し得る。今日、ますます多くのエアインタフェースが現れており、そのうちのほんの幾つかの例を挙げると、モバイル通信用グローバルシステム（ＧＳＭ）、符号分割多重アクセス方式（ＣＤＭＡ）、ＣＤＭＡ２０００、またはユニバーサル陸上無線アクセス（ＵＴＲＡ）を含む。無線データサービスもまた、新たなエアインタフェース規格を生成しており、幾つかの例を挙げると、高速パケットデータ（ＨＲＰＤ）、８０２．１１、８０２．１６、および８０２．２０を含む。これらの無線データシステムは、ボイスオーバインターネットプロトコル（ＶｏＩＰ）を搬送し得る。
【発明の開示】
【発明が解決しようとする課題】
【０００３】
しばしば、これらの異なるシステムは、重なり合う。理想的には、モバイル通信デバイスは、必要に応じて、システムからシステムに切り替え得、または特定の機能に対して、最適なサービスを提供し得る。特定のときに使用する特定のエアインタフェースおよび／または通信システムの選択は、複数のエアインタフェースおよび／または通信システムをサポートする従来のモバイル通信デバイスにとって問題となる。なぜなら、モバイル通信デバイスが使用するべき最適なシステムを、途切れなく決定することを可能にする現行のメカニズムがないからである。
【課題を解決するための手段】
【０００４】
（発明の概要）
一つのモバイル通信システムから別のモバイル通信システムに、いつ切り替えるのが適切であるかを決定するのを補助するために、移動を用いてモバイル通信システムを選択する方法。一つの局面において、方向および速度のような様々な移動に関連する情報は、どの通信システムを用いるべきかを決定するために使用され得る。
【０００５】
本発明のこれらおよび他の特徴、局面、および実施形態は、「詳細な説明」と題されるセクションで、以下に記載される。
【０００６】
本発明の特徴、局面、および実施形態は、添付図面と関連して、記載される。
【発明を実施するための最良の形態】
【０００７】
（詳細な説明）
モバイル電話ハンドセットのようなモバイル通信デバイスで、複数のエアインタフェースおよび／または通信システムで動作することの可能なものを生産することが、実用的になってきている。一般的に、通信システムのそれぞれは、状況に応じて、ある種の利点および欠点を有する。例えば、音声向けに最適化されたエアインタフェースは、データサービスを望むユーザに対する最適な選択であり得ない。モバイル通信デバイスがエアインタフェースをサポートするからという理由で、取得して使用するべきシステムを盲目的に探すことは、そのモバイルが位置する環境に対して、最適なシステムへの切り替えを著しく遅延し得る。この遅延は、いくつのエアインタフェースがサポートされているか、およびどのローミング契約をプロバイダが各エアインタフェースに対して有するかに依存して、著しく増大し得る。したがって、必要とされるサービスのタイプと、モバイル局が常駐する環境とに基づいて、通信システムの選択がなされ得る結果、ユーザ体験を最適化し得る。
【０００８】
一つの実施形態において、例えば、モバイル通信デバイスに対する通信システムは、利用可能なエアインタフェースおよび／または通信システムの所定のリストから選択され得る。したがって、モバイル通信デバイスは、ユーザによって、特定の時間に使用されるサービスのタイプ（例えば、音声データサービスまたは高速データサービス）に基づくリストから、どの１つまたは複数のシステムを探索するべきかを選択し得る。他の要因もまた、所与のシステムの選択に寄与し得る。例えば、システムを選択するのに使用され得る要因は、使用中のサービスに対する適切な無線リンク品質、サービスの品質、サービスのコストを含み得、これらは、加入者が有し得る任意の課金プラン、または加入者が特定のサービス上で有する分単位の時間、モバイル通信デバイスがコンセントに繋がれているかどうか、あるいは電池パワーを使用しているかどうか、電池パワーはどの程度残っているか、もしくはこれらの組み合わせを考慮に入れることを含む。これらの基準がどのように適用され得、どのようにサービスが選択され得るかは、実施形態に依存して、ユーザまたはサービスプロバイダによって、修正され得る。
【０００９】
これらの基準は、どの１つまたは複数のシステムをモバイル通信デバイスが取得しようと試みるかを決定するために使用される一方で、幾つかの実施形態において、これらの試みの指令、つまり、特定のサービスに対して最適であると同定されたシステムを取得することが、可能でないことがあり得、その理由は、ユーザおよびモバイル通信デバイスによる制御の及ばないこと、例えば、システムが能力限界であること、あるいはシステムが一時的にシャットダウンしていることなどである。最適なシステムが取得され得ないこれらの場合において、この特定のサービスに対する次に最良のシステムの取得が、試みられるべきである。
【００１０】
図面を説明する前に、提示される例は、モバイルデバイスの文脈で、特に、モバイル電話ハンドセットの文脈で、一般に議論されることに留意されるべきである。本明細書に記載されるシステムおよび方法は、任意のモバイル通信デバイスに適用され得、携帯情報端末（ＰＤＡ）、ページャなどを含むが、これらに限定されない。
【００１１】
したがって、図１は、本明細書に記載されるシステムおよび方法に従って、通信システムを選択する方法の実施形態を示す流れ図である。ステップ１０２で、モバイル通信デバイスは、通信に関与し得る。通信デバイスは、多数の異なるエアインタフェース規格を含むように構成され得、すなわち、モバイル通信用グローバルシステム（ＧＳＭ）、符号分割多重アクセス方式（ＣＤＭＡ）、ＣＤＭＡ２０００、またはユニバーサル陸上無線アクセス（ＵＴＲＡ）を含むが、これらに限定されず、また、高速パケットデータ（ＨＲＰＤ）、８０２．１１、８０２．１６、および８０２．２０のようなデータサービスとに使用するように構成され得る。これらのデータシステムは、ボイスオーバインターネットプロトコル（ＶｏＩＰ）を搬送し得ることは、理解される。さらに、図１の方法をインプリメントするように構成されたモバイル通信デバイスは、上記の通信システムおよび他の通信システムの一部または全部を使用し得る。
【００１２】
ステップ１０４で、モバイル通信デバイスは、そのモバイル通信デバイスが移動中であるかどうかを決定し得る。特定の実施形態において、そのデバイスが移動中であるかどうかを決定することは、グローバルポジションニングシステム（ＧＰＳ）衛星を用いて、そのモバイル通信デバイスに対する位置および／またはロケーション情報を決定することを包含し得る。この情報は、次いで、このデバイスが、実際に移動中であるかどうかを決定するために使用され得る。別の実施形態において、決定するステップ１０４は、ディファレンシャルＧＰＳ（ＤＧＰＳ）を用いてなされ得る。ＤＧＰＳは、変数の小さな変化を測定して、衛星位置決め補正を提供することによって、ＧＰＳ位置決定の精度を改善するように設計されたシステムである。別の実施形態において、ＤＧＰＳは、広域補強システム（ＷＡＡＳ）ＧＰＳレシーバを備え得る。ＷＡＡＳは、基本的に、連邦航空局によってインプリメントされるＤＧＰＳである。ＧＰＳタイプの機能性をモバイルデバイスの中に組み入れることは、周知であり、それゆえ、本明細書では、詳細に説明されない。さらに、ＧＰＳベースの位置および／またはロケーションサービスは、例えば、スタンドアローン、ネットワーク支援、またはネットワークベースであり得ることは、理解されるべきである。本明細書に記載されるシステムおよび方法は、モバイル通信デバイスの移動を決定するために使用され得る情報を提供し得る任意のシステムまたは方法で使用され得ることもまた、理解される。
【００１３】
一度、モバイル通信デバイスが、実際に移動中であると決定されると、次いで、ステップ１０６で、移動に関連する情報が、モバイル通信デバイスによって取得され得る。例えば、移動情報は、位置情報および相対速度を含み得る。換言すれば、ステップ１０４で、デバイスが移動中であると決定するために、幾つかの位置測定が、特定の時間フレーム内になされ得る。位置が変化した場合、そのデバイスは、移動中である。時間フレームは、所与の時間フレームに位置の変化がある場合、そのデバイスが、実際に移動中であることを保証するために十分短く選択される必要があるのは明らかである。時間フレームと関連する時間と組み合わせた位置の変化の大きさは、次いで、速度を決定するために使用され得る。移動の方向もまた、位置の変化に基づいて、決定され得るか、あるいは少なくとも見積もられ得る。このような情報の全て、およびその種の他のものは、移動情報であると考えられ得る。さらに、移動情報は、モバイル通信デバイスによって、モバイル通信デバイスの外部システム、例えば、ネットワークによって、あるいはこれらの幾つかの組み合わせによって、決定され得る。
【００１４】
ステップ１０６で取得される移動情報は、次いで、ステップ１０８で、モバイルの中に格納された情報に基づいて、どの他の通信システムが、所与の時間フレーム内に利用可能であるか、代替的に、どの他の通信システムが、その時間に、ネットワークによって提供され得るかを決定するために使用され得る。例えば、ステップ１０６で決定された方向および相対速度に基づいて、無線ホットスポット、例えば、８０２．１１システムが５分後に利用可能であること、あるいは幾つかの無線広域ネットワーク（ＷＡＮ）システムが現在利用可能であることが決定され得る。一つの実施形態において、システムのロケーションおよびタイプは、モバイル通信デバイスの中に格納された拡張優先ローミングリストを介して、提供され得る。拡張優先ローミングリストの一例は、以下に、より詳細に記載される。別の実施形態において、モバイル通信デバイスは、様々なシステムに対するパイロット信号レベルをプロービングし得て、得られたシステムの信号強度の知識を使用し得ることにより、好ましいシステムの使用、例えば、信号レベル制約を決定することとが可能であり得る。
【００１５】
ステップ１１０において、次いで、モバイルデバイスは、利用可能なシステムまたは間もなく利用可能になるシステムのどれが好ましいかを決定し得る。例えば、加入者が、高いデータ速度転送を開始する場合、ユーザのモバイル通信デバイスは、利用可能なシステムまたは間もなく利用可能になるシステムのどれが、通信をサポートするために、最良のシステムであるのかを決定し得る。次いで、ステップ１１２で、高いデータ速度ファイル転送を行うために、好ましいシステムが取得され得ると、モバイルデバイスは、その好ましいシステムに切り替わるように構成され得る。同様に、移動情報の補助を得て決定されたように、より高い利用可能なバンド幅を有するシステムが、間もなく利用可能になる場合、モバイル通信デバイスは、そのより高いバンド幅のシステムが利用可能になるまで待つように、構成され得る。
【００１６】
どのシステムが、特定の通信に対して最良なシステムであるかを決定するために使用され得る要因は、要求されるデータ速度を含み得るが、また、移動の方向とスピードに基づいて、どのくらい長い間、システムが利用可能であるかを含み得る。「システムが利用可能である」という用語は、システムが意図されるサービスのタイプに対して、サービスのレベルが適切であるように、モバイル通信デバイスがシステムから、十分に強い信号を取得し得る状態を記載するために使用され得る。換言すれば、「システムが利用可能である」とき、モバイル通信デバイスは、システムのサービス区域エリア内にある。
【００１７】
最適なシステムを決定するために使用され得る他の要因は、コストを含み得る。例えば、モバイル通信デバイスのユーザが、そのプロバイダと契約を有するとき、あるいは、そのプロバイダが、モバイル通信デバイスのユーザが契約を有するプロバイダとパートナーシップを有するとき、一つの通信システムが、好ましいことがあり得る。コストを考慮することは、例えば、ユーザが、１つの利用可能なサービス上に、残された数単位の時間を有するが、他の利用可能なサービス上には、それを有さないかどうかを含み得る。
【００１８】
あるシステムが好ましいという決定は、ベース局からの距離のような地理的ロケーション表示子、あるいは所定のカバーレッジエリアに基づいて、なされ得る。地理的ロケーションに基づく決定は、図２に関して、さらに詳細に議論される。
【００１９】
特定の通信システムの移動ベースの性能能力も、どのシステムが好ましいかを決定するために使用され得る。例えば、特定のシステムまたは特定のエアインタフェースは、モバイル通信デバイスが移動中であるとき、そのモバイル通信デバイスをサービスするのに、より良好に適していると考えられ得、一方、他のシステムまたはエアインタフェースは、モバイル通信デバイスが静止しているときに、より良好であり得る。デバイスが、どの程度速く移動しているかもまた、どのシステムが好ましいかの決定に、影響を及ぼし得る。
【００２０】
ユーザが使用したいアプリケーションもまた、どのシステムが好ましいかを決定するために使用され得る。一部の場合において、システムは、所望のアプリケーションに対して、より良好であり得る。例えば、ユーザが音声サービスを使用したい場合、データ通信システムに対立するものとして、利用可能である音声通信システムを選択することが好ましいことがあり得る。述べられたように、システムのバンド幅またはサポートされるデータ速度もまた、重要な要因であり得る。
【００２１】
また、上述のように、拡張優先ローミングリストは、どのシステムが利用可能で、どのシステムが利用可能でないのかを決定するために、使用され得る。しかしながら、別の実施形態において、このような決定は、拡張優先ローミングリストを用いずに、行われ得る。例えば、移動ベースの性能能力は、異なるタイプの通信システムに対して、一般的に公知であり得る。次いで、そのシステムのタイプのリストと、そのリスト上のシステムに関連する性能能とに基づいて、決定がなされ得る。したがって、特定のシステムが、遭遇（ｅｎｃｏｕｎｔｅｒ）または予期（ａｎｔｉｃｉｐａｔｅ）されるので、そのリストは、どれが好ましいかを決定するために、調べられ得る。異なるタイプのシステムに対する移動ベースの性能能力のリストはまた、拡張優先ローミングリストの中に含まれ得るか、あるいは拡張優先ローミングリストとともに含まれ得る。
【００２２】
特定の実施形態において、モバイル通信デバイスはまた、そのデバイスのコースおよび目的地に関するデータも含み得る。例えば、ＧＰＳベースのナビゲーションシステムは、出発ロケーションから終着ロケーションまでに、どこで曲がるかの指示を含む。一つの実施形態において、モバイル通信デバイスは、どの通信システムが、どのくらいの期間にわたって、利用可能であるかを決定するために、このようなデータを使用し得る。この情報は、次いで、例えば、コスト、要求されるサービスなどに基づいて、どのシステムが、好ましいかを決定するために使用され得る。
【００２３】
別の実施形態において、地勢の知識もまた、好ましい通信システムを決定するために使用され得る。例えば、視線を送信するシステムは、例えば、山がモバイル通信デバイスと視線システムの送信機との間にあるときの状況において、好ましくないことがあり得る。
【００２４】
ステップ１１２で、モバイル通信デバイスは、好ましい通信システムに切り替わり得る。一つの実施形態において、ステップ１１２の切り替えは、当初の通信システムと好ましいシステムとの間のソフトハンドオフであり得る。別の実施形態において、切り替え１１２は、ハードハンドオフを備え得る。例えば、通信デバイスが、大きなファイルを送信し始めるが、次いで、より高いバンド幅を有するデータサービスが、間もなく利用可能になることを検出する場合、そのデバイスは、送信を停止し、より高いバンド幅のシステムにハードハンドオフを実行し、次いで、転送を再開するように構成され得る。
【００２５】
トレードオフが、例えば、ダウンロードスピードとコストとに対して、行われる必要があり得ることには、留意すべきである。例えば、８０２．１１は、一部の場合において、より高速であり得るが、利用可能な最も安価なサービスであり得ない。したがって、選択されるサービスは、価格、ダウンロードスピード、ファイルサイズ、またはストリームの長さの相対的な重要性に依存し得る。
【００２６】
ステップ１１２の切り換えは、一部の実施形態において、ユーザによって、無視され得る。例えば、一般的に、８０２．１１は、一部の場合において、ユーザが移動中のとき、有利であると考えられ得ないが、しかしながら、電車内で８０２．１１サービスを提供する電車に乗っているユーザは、別のサービスが好ましいという決定を無視したいと願い得る。したがって、ステップ１１２の切り替えは、自動であり得る。代替として、ステップ１１２の切り替えは、ユーザに表示され、ユーザがその決定を無視することを可能にし得る。追加的に、自動切り替えか、あるいはユーザの無視の選択は、実施形態に依存して、ユーザによって選択され得る。別の実施形態において、モバイル通信デバイスは、ユーザが選択するべき利用可能なシステムを検出し得、表示し得る。これらのシステムは、定義される基準に基づくランキングを示す方法で、表示され得る。
【００２７】
図２は、本明細書に記載されるシステムおよび方法に従うモバイル通信システム２００を示す図である。モバイル通信デバイス２０２は、典型的には、メモリおよびトランシーバ（図示せず）に結合されたプロセッサを含む。モバイル通信デバイス２０２は、メモリに格納される命令を実行して、図１に示されるステップを実行するように構成され得る。例えば、モバイル通信デバイス２０２は、図１のステップ１０２に関して記載されたように、第一の通信システム２０４を有する通信に関与し得る。第一の通信システム２０４は、例えば、ＧＳＭ、ＣＤＭＡ、ＣＤＭＡ２０００、またはＵＴＲＡシステムを備え得る。第一の通信システム２０４は、また、例えば、ＨＲＰＤ、８０２．１１、８０２．１６、または８０２．２０のような無線データのみのシステムも備え得る。
【００２８】
モバイル通信デバイス２０２は、矢印２１０によって示されるように、移動中であり得る。モバイル通信デバイス２０２が、移動中であると決定される（ステップ１０４）とき、次いで、モバイル通信デバイス２０２は、好ましい別の通信システムが利用可能になるかどうかを決定する（ステップ１０６）ように構成され得る。
【００２９】
例えば、一つの実施形態において、モバイル通信デバイス２０２が、ライン２０８を超える場合、モバイル通信デバイス２０２にとって、第二の通信システム２０６と通信に関与することが好ましいことがあり得る。ライン２０８は、例えば、第二の通信システム２０６によってサービスされるエリアの境界であり得る。通信システムの境界に関する情報は、拡張優先ローミングリストの中に格納され得る。代替として、ライン２０８は、デバイス２０２が、今、システム２０６に、より近いことを単に示し得るだけである。拡張有線ローミングリストは、図３とともに、さらに詳細に議論される。
【００３０】
しかしながら、図２の実施形態において、デバイス２０２は、デバイス２０２が移動中であると決定し（ステップ１０４）、次いで、速度および方向のような移動情報を取得する（ステップ１０６）ように構成される。この情報を用いて、デバイス２０２は、特定の時間に、システム２０６は、そのシステム２０６がより極めて近くにあるがために、より好ましくなると決定するように構成され得る。別の方法で述べれば、特定の時間に、デバイス２０２が、境界２０８を超えることを決定し、システム２０６が、少なくとも特定のタイプの通信に対して、より好ましくなると決定するように、デバイス２０２は、構成され得る。
【００３１】
モバイル通信デバイス２０２が移動中であるとの決定は、ロケーション決定システム２１２を用いてなされ得る。このロケーション決定システム２１２は、グローバルポジショニングシステムであり得る。グローバルポジショニングシステムは、複数の衛星を一般的に含み、追加として、地上ベースのコンポーネントも含み得ることは、理解されるべきである。代替として、ロケーション決定システム２１２はまた、地上ベースのシステムでもあり得る。
【００３２】
図２は、第二の通信システム２０６によってサービスされるエリアの境界に基づいて、別の通信システムが、好ましいという決定がなされ得る例を含む。別の通信システムが、好ましいという決定（ステップ１０６）は、図１に対して議論されたような他の要因およびそれらの要因の組み合わせに基づき得る。
【００３３】
図３は、本明細書に記載されるシステムおよび方法の実施形態に従って、拡張優先ローミングリスト３００を単純化した例を示す図である。拡張優先ローミングリスト３００の各エントリ３１４、３１６、および３１８は、システムＩＤ３０２およびネットワークＩＤ３０４を含み得る。
【００３４】
各エントリ３１４、３１６、および３１８はまた、地理的ロケーション表示子３０６に関する情報も含み得る。地理的なロケーション表示子は、通信システムによってサービスされるエリア内のロケーションを表示し得る。別の実施形態において、地理的表示子３０６は、通信システムによってサービスされるエリアの境界に関する情報を含み得る。
【００３５】
各エントリ３１４、３１６、および３１８はまた、移動ベースの性能能力３０８も含み得る。異なる通信システムは、例えば、モバイル通信デバイスの速度に基づいて、より高い性能、またはより低い性能を有し得る。したがって、一つの実施形態において、モバイル通信デバイスは、そのモバイル通信デバイスの速度と、その速度での性能の期待されるレベルとに基づいて、サービスを選択し得る。
【００３６】
拡張優先ローミングリスト３００はまた、利用可能なサービスのタイプ３１０を含み得る。一実施形態において、通信サービスの選択は、例えば、モバイル通信デバイスのロケーションおよび／または速度に対して利用可能なサービスの所定のリストに基づいて、なされ得る。
【００３７】
拡張優先ローミングリスト３００はまた、特定の通信システムおよび／またはエアインタフェースが適しているアプリケーション３１２を含み得る。特定の通信サービスの選択は、所与のロケーションで利用可能なリストから、適切なシステムおよび／またはエアインタフェースを選択することに基づいて、なされ得る。モバイルが、地理的ロケーション、サービスのタイプ、移動などに基づいて、システムを選択するとき、そのモバイルは、サービス、ネットワークメンテナンス、またはシステムの地理的なロケーションの精度などにおける変化のために、まだ利用可能なサービスを有し得ない。したがって、特定の実施形態において、モバイルは、優先ローミングリスト３００に基づいて、システムを取得しようと試み、そのモバイルが、そのアプリケーションに対して適切なシステムで、そのシステムから十分に強い信号を有するものを見つけるまで、優先ローミングリスト３００を順に下へと当たる。
【００３８】
ある通信システムが好ましいと、そのシステムが最も適しているアプリケーションに基づいて、決定するとき、その決定は、複数の要因を考慮に入れ得る。例えば、１つのシステム、システムＡは、音声通信に対して、良好であるが、データ通信に対して、それほど良好ではないものと仮定する。さらに、システムＢは、データ通信に対して、良好であるが、音声通信に対して、それほど良好ではないものと仮定する。しかしながら、システムＢを使用するデバイスが、移動中であるとき、システムＢは、良好に機能する。デバイスが移動中の場合、したがって、たとえ、音声通信に対しても、システムＢを選択することが好ましいことがあり得る。
【００３９】
一つの実施形態において、ポイントシステムが、利用可能なサービスを格付けするために使用され得る。例えば、音声通信能力、データ通信能力、移動中のシステムの性能などのようなシステムの様々な特性は、例えば、１ポイントから５ポイントまでで、５ポイントは、１ポイントよりも良いものとして、格付けされ得る。一例として、システムＡは、例えば、音声通信に対して、５で、データ通信に対して、３で、移動に対して、１で格付けされ得る。システムＢは、データ通信に対して、５で、音声通信に対して、３で、移動に対して、５で格付けされ得る。システムを選択するためには、ポイントは、加算され得、最も大きいポイントを有するシステムが、選択され得る。本例において、移動する間の音声通信に対して、システムＡは、６ポイントを、音声通信に対する５ポイントおよび移動に対する１ポイントを有する。システムＢは、８ポイントを、音声通信に対する３ポイントおよび移動に対する３ポイントを有する。この例において、したがって、システムＢが、好ましいシステムである。
【００４０】
好ましいシステムを決定するにあたり、考慮され得る他の要因は、サービスのコスト、現在のサービス上に残っている分単位の時間、およびローミングパートナー契約を含むが、これらに限定されない。例えば、より高いコストサービスに対して、より低いコストサービスを選択することは、望ましいことであり得る。コストに関連する別の考慮事項は、残っている分単位の時間である。多くの場合において、顧客は、毎月、分単位の時間数に基づくサービスプランを購入する。この分単位の時間割り当てより多く使用するコストは、サービスの１ヵ月当たりのコストに比べ、高くなり得る。残りの分単位の時間を有するサービスを、残りの分単位の時間を有さないサービスまたは分単位で課金されるサービスに対して、選択することは、好ましいことであり得る。顧客に対するコストが管理され得る別の方法は、ローミングパートナー契約によってである。ローミングは、モバイル通信デバイスが、別のネットワークを使用するときに、起こり得る。一部の場合において、ローミングするとき、ローミングパートナー契約付きのサービスを選択することを、好ましいものとし得る契約を、サービスプロバイダは、有し得る。
【００４１】
ポイントシステム以外の他の方法論も、どのサービスが選択されるべきかを決定するために、システムをランク付けするために使用され得ることに留意されるべきである。例えば、上述の特性およびパラメータの一部または全部を用いて、潜在的なサービスをランク付けする任意の方法論は、本明細書に記載された方法およびシステムの一部として、インプリメントされ得る。
【００４２】
一般的に、ローミングリストは、複数のエントリ３１４、３１６、３１８を含む。エントリの数は、異なるモバイルデバイスに対して、変動し得る。さらに、各エントリは、モバイル通信デバイスが、上述のような移動ベースの決定を行うことを可能にし得る情報を含むように構成され得る。
【００４３】
本発明の特定の実施形態が、以上に記載されてきたが、記載された実施形態は、例示のためだけであることは、理解されるべきである。したがって、本発明は、記載された実施形態に基づくものに、限定されるべきではない。むしろ、本明細書に記載された本発明の範囲は、以上の記載と添付図面とを関連付けたとき、請求項を考慮してのみ、限定されるべきである。
【図面の簡単な説明】
【００４４】
【図１】図１は、一実施形態に従って、移動情報を用いて、通信システムを選択するための例示的な方法を示す流れ図である。
【図２】図２は、図１の方法をインプリメントするように構成されたモバイル通信システムを示す図である。
【図３】図３は、図１の方法をインプリメントするために、図２のシステムによって、使用され得る拡張優先ローミングリストを示す図である。
【図１】
2008532425.tif 000003
【図２】
2008532425.tif 000004
【図３】
2008532425.tif 000005
【国際調査報告】
2008532425.tif 000006
2008532425.tif 000007
2008532425.tif 000008